(57)【要約】  少なくとも１つの第１光源Ｌ１；３；４、少なくとも１つの第２光源Ｌ２；３；４、及び少なくとも１つの制御ユニット２を備える、照明システム１が開示される。少なくとも１つの制御ユニット２は、少なくとも１つの第１光源Ｌ１；３；４及び少なくとも１つの第２光源Ｌ２；３；４のそれぞれに関して、第２の状態にある場合の光源によって放出される光の光束が、第１の状態にある場合の光源によって放出される光の光束よりも低くなるように、放出光の少なくとも光束を、少なくとも１つの第１光源Ｌ１；３；４及び少なくとも１つの第２光源Ｌ２；３；４の、それぞれ少なくとも第１の状態と第２の状態との間で変化させることによって、少なくとも１つの第１光源Ｌ１；３；４及び少なくとも１つの第２光源Ｌ２；３；４を、それぞれ制御するように構成されている。第２の状態にある場合の少なくとも１つの第１光源Ｌ１；３；４のそれぞれによって放出される光は、第１の状態にある場合の第１光源Ｌ１；３；４によって放出される光よりも低い色温度を有し、第２の状態にある場合の少なくとも１つの第２光源Ｌ２；３；４のそれぞれによって放出される光は、第１の状態にある場合の第２光源Ｌ２；３；４によって放出される光よりも高い色温度を有する。
2021531636.tif 000002
【特許請求の範囲】
【請求項１】
照明システムであって、
少なくとも１つの第１光源及び少なくとも１つの第２光源であって、前記少なくとも１つの第１光源及び前記少なくとも１つの第２光源のそれぞれが、少なくとも制御可能な光束を有する光を放出するように、制御可能であり、前記少なくとも１つの第１光源及び前記少なくとも１つの第２光源のそれぞれが、前記少なくとも１つの第１光源及び前記少なくとも１つの第２光源のそれぞれから放出される光の色温度が変化し得るように構成されている、少なくとも１つの第１光源及び少なくとも１つの第２光源と、
前記少なくとも１つの第１光源及び前記少なくとも１つの第２光源と通信可能に接続されている、少なくとも１つの制御ユニットであって、前記少なくとも１つの第１光源及び前記少なくとも１つの第２光源のそれぞれに関して、第２の状態にある場合の前記光源によって放出される光の前記光束が、第１の状態にある場合の前記光源によって放出される光の前記光束よりも低くなるように、放出光の少なくとも前記光束を、前記少なくとも１つの第１光源及び前記少なくとも１つの第２光源それぞれの少なくとも前記第１の状態と前記第２の状態との間で変化させることによって、前記少なくとも１つの第１光源及び前記少なくとも１つの第２光源を、それぞれ制御するように構成されている、少なくとも１つの制御ユニットと、を備え、
前記少なくとも１つの制御ユニットが、前記少なくとも１つの第１光源及び前記少なくとも１つの第２光源を、少なくとも部分的に重複している対応の期間中に、前記少なくとも１つの第１光源及び前記少なくとも１つの第２光源それぞれの前記第１の状態と前記第２の状態との間で、それぞれ制御するように構成されており、
前記第２の状態にある場合の前記少なくとも１つの第１光源のそれぞれによって放出される光が、前記第１の状態にある場合の前記第１光源によって放出される光よりも低い色温度を有し、前記第２の状態にある場合の前記少なくとも１つの第２光源のそれぞれによって放出される光が、前記第１の状態にある場合の前記第２光源によって放出される光よりも高い色温度を有する、照明システム。
【請求項２】
前記少なくとも１つの制御ユニットが、前記少なくとも１つの第１光源及び前記少なくとも１つの第２光源によってそれぞれ放出される前記光の少なくとも前記光束を、連続的に変化させることによって、前記少なくとも１つの第１光源及び前記少なくとも１つの第２光源を、前記少なくとも１つの第１光源及び前記少なくとも１つの第２光源それぞれの前記第１の状態と前記第２の状態との間で、それぞれ制御するように構成されており、前記少なくとも１つの第１光源及び前記少なくとも１つの第２光源によってそれぞれ放出される前記光の少なくとも前記光束が、連続的に変化される際、前記少なくとも１つの第１光源及び前記少なくとも１つの第２光源によってそれぞれ放出される前記光の前記色温度が、黒体軌跡に従う、請求項１に記載の照明システム。
【請求項３】
前記第１の状態にある場合の前記少なくとも１つの第１光源のそれぞれによって放出される前記光の色温度と、前記第２の状態にある場合の前記少なくとも１つの第１光源のそれぞれによって放出される前記光の色温度との間の差が、前記第１の状態にある場合の前記少なくとも１つの第２光源のそれぞれによって放出される前記光の色温度と、前記第２の状態にある場合の前記少なくとも１つの第２光源のそれぞれによって放出される前記光の色温度との間の差よりも大きい、請求項１又は２に記載の照明システム。
【請求項４】
前記少なくとも１つの制御ユニットが、前記第１の状態にある場合の前記少なくとも１つの第１光源及び前記少なくとも１つの第２光源によってそれぞれ放出される前記光の前記光束が同じであるように、前記少なくとも１つの第１光源及び前記少なくとも１つの第２光源を、それぞれ制御するように構成されている、請求項１乃至３のいずれか一項に記載の照明システム。
【請求項５】
前記少なくとも１つの制御ユニットが、前記第１の状態にある場合の前記少なくとも１つの第１光源及び前記少なくとも１つの第２光源によってそれぞれ放出される光の前記光束が、前記第２の状態にある場合よりも高くなるように、前記放出光の少なくとも前記光束を、前記少なくとも１つの第１光源及び前記少なくとも１つの第２光源それぞれの前記第１の状態と前記第２の状態との間で変化させることによって、前記少なくとも１つの第１光源及び前記少なくとも１つの第２光源を、それぞれ制御するように構成されている、請求項１乃至４のいずれか一項に記載の照明システム。
【請求項６】
前記少なくとも１つの制御ユニットが、前記第１の状態にある場合の前記少なくとも１つの第１光源及び前記少なくとも１つの第２光源によってそれぞれ放出される光の前記光束が、前記第２の状態にある場合よりも高く、前記第２の状態にある場合の前記少なくとも１つの第１光源によって放出される光の前記光束が、ゼロであり、前記第２の状態にある場合の前記少なくとも１つの第２光源によって放出される光の前記光束が、非ゼロであるように、前記放出光の少なくとも前記光束を、前記少なくとも１つの第１光源及び前記少なくとも１つの第２光源それぞれの前記第１の状態と前記第２の状態との間で変化させることによって、前記少なくとも１つの第１光源及び前記少なくとも１つの第２光源を、それぞれ制御するように構成されている、請求項１乃至５のいずれか一項に記載の照明システム。
【請求項７】
前記少なくとも１つの制御ユニットが、前記第１の状態にある場合の前記少なくとも１つの第１光源及び／又は前記少なくとも１つの第２光源によって放出される光の前記光束が、３００ｌｍ〜５０００ｌｍの範囲内であるように、前記放出光の少なくとも前記光束を、前記少なくとも１つの第１光源及び前記少なくとも１つの第２光源それぞれの前記第１の状態と前記第２の状態との間で変化させることによって、前記少なくとも１つの第１光源及び前記少なくとも１つの第２光源を、それぞれ制御するように構成されている、請求項１乃至６のいずれか一項に記載の照明システム。
【請求項８】
前記少なくとも１つの制御ユニットが、前記第２の状態にある場合の前記少なくとも１つの第１光源及び／又は前記少なくとも１つの第２光源によって放出される光の前記光束が、２００ｌｍ未満であるように、前記放出光の少なくとも前記光束を、前記少なくとも１つの第１光源及び前記少なくとも１つの第２光源それぞれの前記第１の状態と前記第２の状態との間で変化させることによって、前記少なくとも１つの第１光源及び前記少なくとも１つの第２光源を、それぞれ制御するように構成されている、請求項１乃至７のいずれか一項に記載の照明システム。
【請求項９】
前記第１の状態にある場合の前記少なくとも１つの第１光源及び前記少なくとも１つの第２光源によってそれぞれ放出される光の前記色温度が、同じである、請求項１乃至８のいずれか一項に記載の照明システム。
【請求項１０】
前記第１の状態にある場合の前記少なくとも１つの第１光源及び／又は前記少なくとも１つの第２光源によって放出される光の前記色温度が、２５００Ｋ〜３７００Ｋの範囲内である、請求項１乃至９のいずれか一項に記載の照明システム。
【請求項１１】
前記第２の状態にある場合の前記少なくとも１つの第１光源によって放出される光の前記色温度が、２３５０Ｋ未満である、請求項１乃至１０のいずれか一項に記載の照明システム。
【請求項１２】
前記第２の状態にある場合の前記少なくとも１つの第２光源によって放出される光の前記色温度が、３７５０Ｋ超である、請求項１乃至１１のいずれか一項に記載の照明システム。
【請求項１３】
前記第２の状態にある場合の前記少なくとも１つの第２光源によって放出される光の前記色温度が、３９００Ｋ〜４３００Ｋの範囲内である、請求項１乃至１２のいずれか一項に記載の照明システム。
【請求項１４】
照明システムにおける方法であって、前記照明システムが、少なくとも１つの第１光源及び少なくとも１つの第２光源を備え、前記少なくとも１つの第１光源及び前記少なくとも１つの第２光源のそれぞれが、少なくとも制御可能な光束を有する光を放出するように、制御可能であり、前記少なくとも１つの第１光源及び前記少なくとも１つの第２光源のそれぞれが、前記少なくとも１つの第１光源及び前記少なくとも１つの第２光源のそれぞれから放出される光の色温度が変化し得るように構成されており、前記方法は、
前記少なくとも１つの第１光源及び前記少なくとも１つの第２光源のそれぞれに関して、第２の状態にある場合の前記光源によって放出される光の前記光束が、第１の状態にある場合の前記光源によって放出される光の前記光束よりも低くなるように、放出光の少なくとも前記光束を、前記少なくとも１つの第１光源及び前記少なくとも１つの第２光源それぞれの少なくとも前記第１の状態と前記第２の状態との間で変化させることによって、前記少なくとも１つの第１光源及び前記少なくとも１つの第２光源を制御するステップを含み、
前記少なくとも１つの第１光源及び前記少なくとも１つの第２光源それぞれの前記第１の状態と前記第２の状態との間で、前記少なくとも１つの第１光源及び前記少なくとも１つの第２光源を、それぞれ制御する前記ステップが、少なくとも部分的に重複している対応の期間中にあり、
前記第２の状態にある場合の前記少なくとも１つの第１光源のそれぞれによって放出される光が、前記第１の状態にある場合の前記第１光源によって放出される光よりも低い色温度を有し、前記第２の状態にある場合の前記少なくとも１つの第２光源のそれぞれによって放出される光が、前記第１の状態にある場合の前記第２光源によって放出される光よりも高い色温度を有する、方法。
【請求項１５】
請求項１乃至１３のいずれか一項に記載の照明システム内に含まれている制御ユニットにおいて実行されるときに、請求項１４に記載の方法を実施するように構成されている、コンピュータプログラム。
【発明の詳細な説明】
【技術分野】
【０００１】
本発明は、複数の光源と、光源と通信可能に接続されている制御ユニットとを備える、照明システムに関する。
【背景技術】
【０００２】
発光ダイオード（light-emitting diode；ＬＥＤ）などの制御可能な光源を有する、ランプ、照明器具、照明モジュール、又は照明システムは、例えば無線周波数（radio frequency；ＲＦ）通信の技術又は手段を使用する無線方式で、制御ユニット又はコントローラと通信可能に接続されてもよい。そのようなランプ、照明器具、照明モジュール、又は照明システムは、以下では、「コネクテッド」ランプ、照明器具、照明モジュール、若しくは照明システムと称され、又は、１つ以上のＬＥＤを含む場合には、「コネクテッド」ＬＥＤランプ、照明器具、照明モジュール、又は照明システムと称されることになる。本明細書で使用されるとき、用語「ＬＥＤランプ」は、ＬＥＤモジュールなどを包含する。ＲＦ通信の技術又は手段は、例えば、１つ以上のＲＦアンテナを用いるか又は備えてもよい。ランプの光源の動作は、例えば、ランプに制御信号通信を送信する、制御ユニット又はコントローラによって制御されてもよい。このことは、例えば多色フィラメントランプなどの、種々の色の光を放出することが可能なランプにとって、ランプによって放出される光の色を調節することを容易又は可能にするために、特に望ましい場合がある。代替的に又は追加的に、ランプの光源の調光、又はランプの光源の作動／作動停止は、ランプに制御信号通信を送信する、制御ユニット又はコントローラによって（例えば、ランプ内に含まれ得るセンサからの出力に基づいて）制御されてもよい。
【発明の概要】
【発明が解決しようとする課題】
【０００３】
例えば、コネクテッドＬＥＤランプ、照明器具、照明モジュール、又は照明システムなどの、コネクテッドランプ、照明器具、照明モジュール、又は照明システムを提供することによって、新たな機能が容易又は可能にされてもよい。１つの新たな機能は、ナイトライトの分野にある。ナイトライトから放出される光は、一般に、他のタイプの光源（例えば、電球又は照明器具）から放出される光よりも、遥かに低い強度を有する。ナイトライトは、寝室内に配置されてもよい。ナイトライトから放出される光の強度は、通常、寝室内の人が、寝室のレイアウト及び寝室内の対象物を判別するためには過不足はないが、人が眠りにつくことを妨げるほど高くはない。ナイトライトは、子供たちにとって、夜間に目が覚めた場合に自分たちが真っ暗闇の中にいないことが分かる点で、特に有用であり得る。夜間に目が覚める場合には、ナイトライトによって放出される光は、人によって月光として知覚され得る。
【０００４】
上記の論考に鑑みて、本発明の課題は、コネクテッドランプ、照明器具、照明モジュール、若しくは照明システムにおけるナイトライト機能を提供すること、又は少なくとも、提供することを容易にすることである。
【課題を解決するための手段】
【０００５】
この課題及び他の課題のうちの少なくとも１つに対処するために、独立請求項に記載の、照明システムと照明システムにおける方法とが提供される。従属請求項によって、好ましい実施形態が定義される。
【０００６】
本発明の第１の態様によれば、照明システムが提供される。照明システムは、少なくとも１つの第１光源及び少なくとも１つの第２光源を備える。少なくとも１つの第１光源及び少なくとも１つの第２光源のそれぞれは、少なくとも制御可能な光束を有する光を放出するように、制御可能である。少なくとも１つの第１光源及び少なくとも１つの第２光源のそれぞれは、当該光源から放出される光の色温度が変化し得るように構成されている。照明システムは、少なくとも１つの制御ユニット（代替的に、制御及び処理ユニット、あるいは処理ユニットと称され得るもの）を備える。少なくとも１つの制御ユニットは、少なくとも１つの第１光源及び少なくとも１つの第２光源と通信可能に接続されている。少なくとも１つの制御ユニットは、少なくとも１つの第１光源及び少なくとも１つの第２光源のそれぞれを、少なくとも当該光源からの放出光の光束に関して制御するように構成されている。少なくとも１つの制御ユニットは、少なくとも１つの第１光源及び少なくとも１つの第２光源のそれぞれに関して、第２の状態にある場合の光源によって放出される光の光束が、第１の状態にある場合の光源によって放出される光の光束よりも低くなるように、放出光の少なくとも光束を、少なくとも１つの第１光源及び少なくとも１つの第２光源の、それぞれ少なくとも第１の状態と第２の状態との間で変化させることによって、少なくとも１つの第１光源及び少なくとも１つの第２光源を、それぞれ制御するように構成されている。少なくとも１つの制御ユニットは、少なくとも１つの第１光源及び少なくとも１つの第２光源を、少なくとも部分的に重複している対応の期間中に、少なくとも１つの第１光源及び少なくとも１つの第２光源の、それぞれ第１の状態と第２の状態との間で、それぞれ制御するように構成されている。第２の状態にある場合の少なくとも１つの第１光源のそれぞれによって放出される光は、第１の状態にある場合の第１光源によって放出される光よりも低い色温度を有し、第２の状態にある場合の少なくとも１つの第２光源のそれぞれによって放出される光は、第１の状態にある場合の第２光源によって放出される光よりも高い色温度を有する。
【０００７】
場合によっては、少なくとも１つの第１光源及び少なくとも１つの第２光源は、それぞれ、同時に又は実質的に同時に、少なくとも１つの第１光源及び少なくとも１つの第２光源の、それぞれ第１の状態と第２の状態との間で制御されてもよい。
【０００８】
「第１の状態」は、代替的に、「第１の設定」又は（例えば、放出光の光束に関する）「高設定」と称されてもよい。「第２の状態」は、代替的に、「第２の設定」又は（例えば、放出光の光束に関する）「低設定」と称されてもよい。それゆえ、少なくとも１つの第１光源及び少なくとも１つの第２光源のそれぞれは、選択的に、当該光源の第１の状態又は当該光源の第２の状態にあってもよい。例えば、少なくとも１つの第１光源及び少なくとも１つの第２光源は、それぞれ、第１の状態にある場合の少なくとも１つの第１光源及び少なくとも１つの第２光源によってそれぞれ放出される光の光束が、第２の状態にある場合よりも高くなるように、放出光の少なくとも光束を、少なくとも１つの第１光源及び少なくとも１つの第２光源の、それぞれ第１の状態と第２の状態との間で変化させることによって、制御されてもよい。
【０００９】
少なくとも１つの制御ユニットが、少なくとも１つの第１光源及び少なくとも１つの第２光源と通信可能に接続されており、少なくとも１つの制御ユニットが、少なくとも１つの第１光源及び少なくとも１つの第２光源のそれぞれを制御するように構成されていることによって、少なくとも１つの第１光源及び少なくとも１つの第２光源は、前述のような、いわゆるコネクテッド光源（例えば、コネクテッドランプ、又はコネクテッド照明器具）を構成していると見なされることができる。少なくとも１つの制御ユニットは、例えば、光源によって受信され得る、少なくとも１つの制御信号、制御信号通信、又は何らかの他のタイプの制御メッセージを、少なくとも１つの制御ユニットが送信するによって、光源の動作を制御してもよい。
【００１０】
少なくとも１つの第１光源及び少なくとも１つの第２光源が、それぞれ、少なくとも１つの第１光源及び少なくとも１つの第２光源の、それぞれ少なくとも第１の状態と第２の状態との間で制御可能であることによって、及び、第２の状態にある場合の少なくとも１つの第１光源のそれぞれによって放出される光が、第１の状態にある場合の第１光源によって放出される光よりも低い色温度を有し、第２の状態にある場合の少なくとも１つの第２光源のそれぞれによって放出される光が、第１の状態にある場合の第２光源によって放出される光よりも高い色温度を有することによって、照明システムのナイトライト機能が、実装又は実現されることができる。
【００１１】
例えば、少なくとも１つの第１光源及び少なくとも１つの第２光源は、それぞれ、少なくとも部分的に重複している対応の期間中に、少なくとも１つの第１光源及び少なくとも１つの第２光源の、それぞれ第１の状態から第２の状態へと（又は、その逆に）制御されてもよい。例えば、少なくとも１つの制御ユニットは、少なくとも１つの第１光源及び少なくとも１つの第２光源の、そのような制御を実行するように構成されてもよい。少なくとも１つの第１光源の、当該光源の第１の状態と第２の状態との間での（例えば、第１の状態から第２の状態への）制御プロセスと、少なくとも１つの第２光源の、当該光源の第１の状態と第２の状態との間での（例えば、第１の状態から第２の状態への）制御プロセスとは、必ずしも同時に開始又は終了する必要はなく（ただし、同時に開始又は終了してもよい）、異なる時間において開始及び／又は終了してもよい点を理解されたい。
【００１２】
前述のように、第１の状態にある場合の少なくとも１つの第１光源及び少なくとも１つの第２光源によってそれぞれ放出される光の光束は、例えば、第２の状態にある場合よりも高くてもよい。
【００１３】
前述の説明及び同様にまた以下の説明は、少なくとも１つの第１光源及び少なくとも１つの第２光源によってそれぞれ放出される光の光束などの、光束に言及するものであるが、前述の説明及び同様にまた以下の説明は、必要な変更を加えて、例えば、少なくとも１つの第１光源及び少なくとも１つの第２光源によってそれぞれ放出される光の強度などの、強度にも適用される点を理解されたい。
【００１４】
例えば、照明システムは、例えば寝室などの、部屋内に配置されてもよく、少なくとも１つの第１光源及び少なくとも１つの第２光源の第１の状態は、覚醒時間中に用いられてもよく、少なくとも１つの第１光源及び少なくとも１つの第２光源の第２の状態は、通常は夜間の、睡眠時間中に用いられてもよい。少なくとも１つの第１光源及び少なくとも１つの第２光源の第１の状態は、それぞれ、読書、調理などのタスクを実行する際に使用され得る、人工照明条件に関するユーザの選好を表してもよい。少なくとも１つの第１光源及び少なくとも１つの第２光源の第２の状態は、それぞれ、例えば、月光の色温度、並びに／あるいは日の入り及び／又は日の出における太陽光の色温度を表すなどの、昼光及び／又は自然光を表しても（又は、模倣するために使用されても）よい。
【００１５】
少なくとも１つの第１光源及び少なくとも１つの第２光源が、それぞれ、少なくとも１つの第１光源及び少なくとも１つの第２光源の第１の状態にある場合に、例えば、放出光の光束が、より低くてもよい場合、例えば少なくとも１つの第２光源によって放出される光は、月光の色温度を表し得る色温度を有してもよい。
【００１６】
例えば、照明システムが、例えば寝室などの、部屋内に配置されている場合には、少なくとも１つの第２光源は、部屋の天井に配置されてもよく、少なくとも１つの第１光源は、部屋の床上に、又はテーブル若しくはナイトテーブル上などに配置されてもよい。
【００１７】
少なくとも１つの第１光源及び少なくとも１つの第２光源は、互いに距離を置いて配置されてもよい。少なくとも１つの第１光源及び少なくとも１つの第２光源は、当該光源から放出される光が部屋内の（又は、照明システムが配置され得る別の場所内の）人によって知覚可能となるように、配置されてもよい。少なくとも１つの第１光源及び少なくとも１つの第２光源は、同時に、例えば少なくとも部分的に重複する期間中に、少なくとも１つの第１光源及び少なくとも１つの第２光源が光を放出しているように、配置又は制御されてもよい。少なくとも１つの第１光源及び少なくとも１つの第２光源は、例えば少なくとも部分的に重複する期間中に、少なくとも１つの第１光源が当該第１の状態にあり、少なくとも１つの第２光源が同時に当該第１の状態にあるように、及び、例えば少なくとも部分的に重複する期間中に、少なくとも１つの第１光源が当該第２の状態にあり、少なくとも１つの第２光源が同時に当該第２の状態にあるように、配置又は制御されてもよい。
【００１８】
例えば、少なくとも１つの第１光源及び少なくとも１つの第２光源は、少なくとも１つの制御ユニットが、放出光の少なくとも光束を、第１の状態と第２の状態との間で変化させることによって、少なくとも１つの第１光源及び少なくとも１つの第２光源を、それぞれ制御する場合に、第２の状態にある場合の少なくとも１つの第１光源のそれぞれによって放出される光が、第１の状態にある場合の第１光源によって放出される光よりも低い色温度を有し、第２の状態にある場合の少なくとも１つの第２光源のそれぞれによって放出される光が、第１の状態にある場合の第２光源によって放出される光よりも高い色温度を有するように、特定の方式で構成されてもよい。代替的に又は追加的に、少なくとも１つの第１光源及び少なくとも１つの第２光源は、制御可能な色温度を有する光を放出するように制御可能であってもよく、それらは、第２の状態にある場合の少なくとも１つの第１光源のそれぞれによって放出される光が、第１の状態にある場合の第１光源によって放出される光よりも低い色温度を有し、第２の状態にある場合の少なくとも１つの第２光源のそれぞれによって放出される光が、第１の状態にある場合の第２光源によって放出される光よりも高い色温度を有するように（例えば、少なくとも１つの制御ユニットによって）制御されてもよい。それゆえ、少なくとも１つの制御ユニットは、少なくとも１つの第１光源及び少なくとも１つの第２光源のそれぞれを、例えば、当該光源からの放出光の色温度に関して制御するように構成されてもよい。少なくとも１つの第１光源のそれぞれによって放出される光の色温度の、当該光源の第１の状態と第２の状態との間での変化は、漸進的なものであってもよく、例えば線形又は指数関数的であってもよい。少なくとも１つの第２光源のそれぞれによって放出される光の色温度の、当該光源の第１の状態と第２の状態との間での変化は、例えば線形又は指数関数的などの、漸進的なものであってもよい。
【００１９】
少なくとも１つの第１光源及び少なくとも１つの第２光源は、それぞれ、少なくとも１つの第１光源及び少なくとも１つの第２光源によってそれぞれ放出される光の少なくとも光束を、漸進的に変化させることによって、少なくとも１つの第１光源及び少なくとも１つの第２光源の、それぞれ第１の状態と第２の状態との間で、制御されてもよい。少なくとも１つの第１光源及び少なくとも１つの第２光源によってそれぞれ放出される光の少なくとも光束の漸進的変化（例えば、減少）は、例えば線形又は指数関数的であってもよい。例えば、少なくとも１つの制御ユニットは、少なくとも１つの第１光源及び少なくとも１つの第２光源の、そのような制御を実行するように構成されてもよい。
【００２０】
少なくとも１つの第１光源及び少なくとも１つの第２光源は、それぞれ、少なくとも１つの第１光源及び少なくとも１つの第２光源によってそれぞれ放出される光の少なくとも光束を、連続的に変化させることによって、少なくとも１つの第１光源及び少なくとも１つの第２光源の、それぞれ第１の状態と第２の状態との間で、制御されてもよい。例えば、少なくとも１つの制御ユニットは、少なくとも１つの第１光源及び少なくとも１つの第２光源の、そのような制御を実行するように構成されてもよい。少なくとも１つの第１光源及び少なくとも１つの第２光源によってそれぞれ放出される光の光束が、連続的に変化される（例えば、調光される）際、少なくとも１つの第１光源及び少なくとも１つの第２光源によってそれぞれ放出される光の色温度は、黒体軌跡（black body locus；ＢＢＬ）、すなわち白色光に、準拠するか又は実質的に準拠してもよい。ＢＢＬ上の全ての色点は、純粋な白色であり、様々な可視光波長の混合から生じる。それゆえ、少なくとも１つの第１光源及び少なくとも１つの第２光源によってそれぞれ放出される光の光束が、連続的に変化される際、少なくとも１つの第１光源及び少なくとも１つの第２光源の双方が、ＢＢＬを追従してもよい。ＢＢＬを追従することにより、１日の流れの中で、どのように太陽光の色温度が変化するかに関しての、自然発生的な効果を模倣してもよい。
【００２１】
少なくとも１つの第１光源及び少なくとも１つの第２光源によってそれぞれ放出される光の光束が、連続的に変化される際、少なくとも１つの第１光源及び少なくとも１つの第２光源によってそれぞれ放出される光の色温度が、ＢＢＬに準拠するか又は追従する（あるいは、実質的に準拠又は追従する）とは、少なくとも１つの第１光源及び少なくとも１つの第２光源によってそれぞれ放出される光の色温度が、色度図内のＢＢＬと一致するか又は実質的に一致する、色度図内の経路を追従することを意味する。少なくとも１つの第１光源及び少なくとも１つの第２光源によってそれぞれ放出される光の色温度は、必ずしも、ＢＢＬと正確に一致する色度図内の経路を追従する必要はなく、例えば数ＳＤＣＭ（Ｓｔａｎｄａｒｄ  Ｄｅｖｉａｔｉｏｎ  Ｃｏｌｏｒ  Ｍａｔｃｈｉｎｇ；等色標準偏差）までの、ＢＢＬからの或る程度の偏差が許容されてもよい。色度図は、例えば、ＣＩＥ１９３１ｘｙ色度図であってもよい。少なくとも１つの第１光源及び少なくとも１つの第２光源によってそれぞれ放出される光の色温度は、例えば、ＢＢＬから１５ＳＤＣＭの範囲内、又はＢＢＬから１０ＳＤＣＭの範囲内、又はＢＢＬから８ＳＤＣＭ以下の範囲内で、ＢＢＬから偏差することが許容されてもよい。
【００２２】
ＳＤＣＭは、「マクアダム楕円」と称される場合がある。いわゆる１ステップのマクアダム楕円は、人間の目には光の色温度の差を識別することが概して不可能な範囲である、ＣＩＥ１９３１ｘｙ色度図内のゾーンを画定している。
【００２３】
少なくとも１つの第１光源及び少なくとも１つの第２光源によってそれぞれ放出される光の光束が、連続的に変化される（例えば、調光される）際、少なくとも１つの第１光源によって放出される光の色温度と、少なくとも１つの第２光源の色温度とは、ＢＢＬに沿って反対方向でＢＢＬを追従してもよい。
【００２４】
少なくとも１つの第１光源及び少なくとも１つの第２光源によってそれぞれ放出される光は、例えば、少なくとも７０、又は少なくとも８０、又は、例えば９０若しくは９２などの、少なくとも８５以上の、ＣＲＩ（Ｃｏｌｏｒ  Ｒｅｎｄｅｒｉｎｇ  Ｉｎｄｅｘ；演色評価数）を有してもよい。
【００２５】
第１の状態にある場合と第２の状態にある場合との、少なくとも１つの第１光源のそれぞれによって放出される光の色温度の差は、第１の状態にある場合と第２の状態にある場合との、少なくとも１つの第２光源のそれぞれによって放出される光の色温度の差よりも大きくてもよい。
【００２６】
少なくとも１つの第１光源及び少なくとも１つの第２光源の第１の状態は、覚醒時間状態と称され得る、覚醒時間中に用いられてもよい。例えば、第１の状態にある場合の少なくとも１つの第１光源及び／又は少なくとも１つの第２光源によって放出される光の色温度は、２５００Ｋ〜３７００Ｋの範囲であってもよく、これは、覚醒時間中のユーザにとって好ましい色温度範囲であり得る。前述のように、少なくとも１つの第１光源及び少なくとも１つの第２光源の第１の状態は、それぞれ、読書、調理などのタスクを実行する際に使用され得る、人工照明条件に関するユーザの選好を表してもよい。少なくとも１つの第１光源及び少なくとも１つの第２光源の第２の状態は、通常は夜間の、睡眠時間中に用いられてもよい。また前述のように、少なくとも１つの第１光源及び少なくとも１つの第２光源の第２の状態は、それぞれ、例えば、月光の色温度、並びに／あるいは日の入り及び／又は日の出における太陽光の色温度を表すなどの、昼光及び／又は自然光を表しても（又は、模倣するために使用されても）よい。例えば、第２の状態にある場合の少なくとも１つの第１光源によって放出される光の色温度は、２３５０Ｋ未満であってもよく、これは、日の入り及び／又は日の出における太陽光の色温度を表しており、日の入り及び／又は日の出状態と称されてもよく、第２の状態にある場合の少なくとも１つの第２光源によって放出される光の色温度は、３９００Ｋ〜４３００Ｋの範囲であってもよく、これは、月光の色温度を表しており、月光状態と称されてもよい。照明に関するユーザの選好は、世界中の各地域によって異なり得る。より冷たい光若しくはより暖かい光、及び、より高い光束若しくはより低い光束の光に関する、ユーザの選好に応じて、覚醒時間状態と日の入り及び／又は日の出状態との色温度の差に関するユーザの選好は、一部の国においては、他の国と比較して、より小さい場合がある。同様に、覚醒時間状態と月光状態との色温度の差に関するユーザの選好も、一部の国においては、他の国と比較して、より小さい場合がある。このことは、第１の状態にある場合と第２の状態にある場合との、少なくとも１つの第１光源のそれぞれによって放出される光の色温度の差が、第１の状態にある場合と第２の状態にある場合との、少なくとも１つの第２光源のそれぞれによって放出される光の色温度の差よりも大きいことによって、対応されてもよい。
【００２７】
少なくとも１つの第１光源及び少なくとも１つの第２光源は、それぞれ、第１の状態にある場合の少なくとも１つの第１光源及び少なくとも１つの第２光源によってそれぞれ放出される光の光束が、同じであるか又は実質的に同じであるように、制御されてもよい。例えば、少なくとも１つの制御ユニットは、少なくとも１つの第１光源及び少なくとも１つの第２光源の、そのような制御を実行するように構成されてもよい。第１の状態にある場合の少なくとも１つの第１光源及び少なくとも１つの第２光源によってそれぞれ放出される光の光束が、同じであるとは、必ずしも、第１の状態にある場合の少なくとも１つの第１光源及び少なくとも１つの第２光源によってそれぞれ放出される光の光束が、正確に同じであることを意味するものではなく、例えば数パーセントまでの、或る程度の偏差が許容されてもよい。第１の状態にある場合の少なくとも１つの第１光源及び少なくとも１つの第２光源によってそれぞれ放出される光の光束が、同じであるか又は実質的に同じであるように、少なくとも１つの第１光源及び少なくとも１つの第２光源が、それぞれ制御されることによって、（照明システムの）ユーザは、第１の状態（例えば、覚醒時間状態）にある場合の少なくとも１つの第１光源及び少なくとも１つの第２光源によってそれぞれ放出される光の光束の、いずれの差も知覚し得ない。
【００２８】
少なくとも１つの第１光源及び少なくとも１つの第２光源は、それぞれ、第１の状態にある場合の少なくとも１つの第１光源及び少なくとも１つの第２光源によってそれぞれ放出される光の光束が、第２の状態にある場合よりも高くなるように、放出光の少なくとも光束を、少なくとも１つの第１光源及び少なくとも１つの第２光源の、それぞれ第１の状態と第２の状態との間で変化させることによって、制御されてもよい。例えば、少なくとも１つの制御ユニットは、少なくとも１つの第１光源及び少なくとも１つの第２光源の、そのような制御を実行するように構成されてもよい。それゆえ、「第１の状態」は、放出光の光束に関する「高設定」と称されてもよく、「第２の状態」は、放出光の光束に関する「低設定」と称されてもよい。前述の説明のように、少なくとも１つの第１光源及び少なくとも１つの第２光源の第１の状態は、覚醒時間状態と称され得る、覚醒時間中に用いられてもよく、少なくとも１つの第１光源及び少なくとも１つの第２光源の第２の状態は、それぞれ、日の入り及び／又は日の出状態、並びに月光状態と称されてもよい。
【００２９】
少なくとも１つの第１光源及び少なくとも１つの第２光源は、それぞれ、第１の状態にある場合の少なくとも１つの第１光源及び少なくとも１つの第２光源によってそれぞれ放出される光の光束が、第２の状態にある場合よりも高くなるように、放出光の少なくとも光束を、少なくとも１つの第１光源及び少なくとも１つの第２光源の、それぞれ第１の状態と第２の状態との間で変化させることによって、制御されてもよい。第２の状態にある場合の少なくとも１つの第１光源によって放出される光の光束は、ゼロ又は実質的にゼロであってもよく、第２の状態にある場合の少なくとも１つの第２光源によって放出される光の光束は、非ゼロであってもよい。例えば、少なくとも１つの制御ユニットは、少なくとも１つの第１光源及び少なくとも１つの第２光源の、そのような制御を実行するように構成されてもよい。少なくとも１つの第１光源及び少なくとも１つの第２光源のそのような制御によって、ユーザは、少なくとも１つの第１光源及び少なくとも１つの第２光源が、双方とも当該光源の第２の状態にある場合の特定の時点において、少なくとも１つの第１光源からは、いずれの光も知覚することが可能ではなく、少なくとも１つの第２光源からのみ知覚することが可能であり得る。前述の説明のように、少なくとも１つの第１光源及び少なくとも１つの第２光源の第２の状態は、それぞれ、日の入り及び／又は日の出状態、並びに月光状態と称されてもよく、それぞれ、日の入り及び／又は日の出における太陽光の色温度、並びに月光の色温度を表してもよい。それゆえ、ユーザは、少なくとも１つの第１光源及び少なくとも１つの第２光源が、双方とも当該光源の第２の状態にある場合の特定の時点において、いずれの「日の入り及び／又は日の出光」も知覚することが可能ではなく、「月光」のみを知覚することが可能であり得る。第２の状態にある場合の少なくとも１つの第１光源によって放出される光の光束がゼロであるとは、必ずしも、第２の状態にある場合の少なくとも１つの第１光源によって放出される光の光束が正確にゼロであることを意味するものではない。少なくとも１つの第１光源によって放出される光の、或る程度の比較的小さい光束が許容されてもよいが、好ましくは、少なくとも１つの第１光源の近傍のユーザが、裸眼で知覚することが可能ではないか、又は、かろうじて知覚することのみが可能であるような、低いものとするべきである。
【００３０】
少なくとも１つの第１光源及び少なくとも１つの第２光源は、それぞれ、第１の状態にある場合の少なくとも１つの第１光源及び／又は少なくとも１つの第２光源によって放出される光の光束が、（約）３００ルーメン（ｌｍ）〜（約）５０００ｌｍ、例えば（約）３５０ｌｍ〜（約）２０００ｌｍ、又は（約）４００ｌｍ〜（約）１０００ｌｍの範囲となるように、放出光の少なくとも光束を、少なくとも１つの第１光源及び少なくとも１つの第２光源の、それぞれ第１の状態と第２の状態との間で変化させることによって、制御されてもよい。例えば、少なくとも１つの制御ユニットは、少なくとも１つの第１光源及び少なくとも１つの第２光源の、そのような制御を実行するように構成されてもよい。上述のように、少なくとも１つの第１光源及び少なくとも１つの第２光源の第１の状態は、覚醒時間状態と称され得る、覚醒時間中に用いられてもよい。第１の状態にある場合の少なくとも１つの第１光源及び／又は少なくとも１つの第２光源によって放出される光の光束が、（約）３００ルーメン（ｌｍ）〜（約）５０００ｌｍの範囲にあることは、覚醒時間中のユーザにとって好ましい光束範囲であり得る。
【００３１】
少なくとも１つの第１光源及び少なくとも１つの第２光源は、それぞれ、第２の状態にある場合の少なくとも１つの第１光源及び／又は少なくとも１つの第２光源によって放出される光の光束が、２００ｌｍ未満、例えば１５０ｌｍ未満、又は１２０ｌｍ未満となるように、放出光の少なくとも光束を、少なくとも１つの第１光源及び少なくとも１つの第２光源の、それぞれ第１の状態と第２の状態との間で変化させることによって、制御されてもよい。例えば、少なくとも１つの制御ユニットは、少なくとも１つの第１光源及び少なくとも１つの第２光源の、そのような制御を実行するように構成されてもよい。少なくとも１つの第１光源及び少なくとも１つの第２光源のそのような制御によって、ユーザは、少なくとも１つの第１光源及び少なくとも１つの第２光源が、当該光源の第２の状態にある場合の特定の時点において、少なくとも１つの第１光源及び／又は少なくとも１つの第２光源から、それぞれ、比較的小さい光を知覚することのみが可能であり得る。前述の説明のように、少なくとも１つの第１光源及び少なくとも１つの第２光源の第２の状態は、それぞれ、日の入り及び／又は日の出状態、並びに月光状態と称されてもよく、それぞれ、日の入り及び／又は日の出における太陽光の色温度、並びに月光の色温度を表してもよい。それゆえ、ユーザは、少なくとも１つの第１光源及び少なくとも１つの第２光源が、当該光源の第２の状態にある場合の特定の時点において、それぞれ、比較的小さい「日の入り及び／又は日の出光」及び「月光」を知覚することのみが可能であり得る。
【００３２】
第１の状態にある場合の少なくとも１つの第１光源及び少なくとも１つの第２光源によってそれぞれ放出される光の色温度は、同じであるか又は実質的に同じであってもよい。第１の状態にある場合の少なくとも１つの第１光源及び少なくとも１つの第２光源によってそれぞれ放出される光の色温度が、同じであるとは、必ずしも、第１の状態にある場合の少なくとも１つの第１光源及び少なくとも１つの第２光源によってそれぞれ放出される光の色温度が、正確に同じであることを意味するものではなく、色温度は、例えば数パーセント異なっていてもよい。第１の状態にある場合の少なくとも１つの第１光源及び少なくとも１つの第２光源によってそれぞれ放出される光の色温度が、同じであるか又は実質的に同じであることによって、ユーザは、第１の状態（例えば、覚醒時間状態）にある場合の少なくとも１つの第１光源及び少なくとも１つの第２光源によってそれぞれ放出される光の色温度の、いずれの差も知覚し得ない。
【００３３】
第１の状態にある場合の少なくとも１つの第１光源及び／又は少なくとも１つの第２光源によって放出される光の色温度は、例えば、（約）２５００Ｋ〜（約）３７００Ｋ、例えば、（約）２７００Ｋ〜（約）３６００Ｋ、又は（約）２８００Ｋ〜（約）３５５０Ｋの範囲であってもよい。上述のように、少なくとも１つの第１光源及び少なくとも１つの第２光源の第１の状態は、覚醒時間状態と称され得る、覚醒時間中に用いられてもよい。２５００Ｋ〜３７００Ｋの範囲の、第１の状態にある場合の少なくとも１つの第１光源及び／又は少なくとも１つの第２光源によって放出される光の色温度は、覚醒時間中のユーザにとって好ましい色温度範囲であり得る。
【００３４】
第２の状態にある場合の少なくとも１つの第１光源によって放出される光の色温度は、例えば、２３５０Ｋ未満、例えば２２５０Ｋ未満、又は２２２０Ｋ未満であってもよい。そのような色温度は、日の入り及び／又は日の出における太陽光の色温度を表し得る。
【００３５】
第２の状態にある場合の少なくとも１つの第２光源によって放出される光の色温度は、例えば、３７５０Ｋ超、例えば３８００Ｋ超、最も好ましくは３９００Ｋ超であってもよい。
【００３６】
第２の状態にある場合の少なくとも１つの第２光源によって放出される光の色温度は、例えば、（約）３９００Ｋ〜（約）４３００Ｋ、例えば、（約）４１００Ｋ〜（約）４２００Ｋ、又は（約）４１００Ｋ〜（約）４１５０Ｋの範囲であってもよい。そのような色温度は、月光の色温度を表し得る。照明システムは、単一の第２光源を備えてもよい。照明システムが、１つのみの第２光源を備えてもよい理由は、地球が１つのみの月を有するためである。
【００３７】
本出願の文脈では、少なくとも１つの制御ユニットが、少なくとも１つの第１光源及び少なくとも１つの第２光源と通信可能に接続されているとは、少なくとも１つの制御ユニットが、少なくとも１つの制御ユニットから少なくとも１つの第１光源及び少なくとも１つの第２光源への、また場合によっては、少なくとも１つの第１光源及び少なくとも１つの第２光源から少なくとも１つの制御ユニットへの、データ、信号、メッセージなどの送信を可能にするように、少なくとも１つの第１光源及び少なくとも１つの第２光源と、直接通信可能に接続されているか、又は間接的に通信可能に接続されていることを意味する。例えば、少なくとも１つの制御ユニットが、少なくとも１つの第１光源及び少なくとも１つの第２光源と、直接通信可能に接続されている場合には、少なくとも１つの制御ユニットは、少なくとも１つの通信リンクを使用して、少なくとも１つの第１光源及び少なくとも１つの第２光源と、直接通信してもよい。少なくとも１つの制御ユニットが、少なくとも１つの第１光源及び少なくとも１つの第２光源と、間接的に通信可能に接続されている場合には、少なくとも１つの制御ユニットは、例えば１つ以上の中間送信／受信ユニットなどの、例えば１つ以上の中間要素又は中間構成要素を使用して、少なくとも１つの第１光源及び少なくとも１つの第２光源と通信してもよく、少なくとも１つの制御ユニットと１つ以上の中間要素又は中間構成要素との間の、少なくとも１つの通信リンク、並びに、１つ以上の中間要素又は中間構成要素と少なくとも１つの第１光源及び少なくとも１つの第２光源との間の、少なくとも１つの通信リンクが存在してもよい。
【００３８】
本出願の文脈では、通信リンクとは、有線通信リンク（例えば、少なくとも１つの光導波路を含むもの）又は無線通信リンク（例えば、エアインタフェースを介した通信リンク）、あるいは、少なくとも部分的に無線通信リンクを利用し、少なくとも部分的に有線通信リンクを利用する少なくとも１つの通信リンクである、ハイブリッド通信リンクを意味し得る。
【００３９】
本出願の文脈では、無線通信リンクとは、原理的に、例えば、少なくとも１つの無線周波数（ＲＦ）通信リンク、及び／又は、赤外線通信リンク（例えば、赤外光を用いる通信リンク）若しくは別のタイプの（例えば、レーザに基づく）自由空間光通信リンクなどの、通信を実行するための１つ以上の無線技術又は手段を利用する、任意のタイプの通信リンク、接続、又は結合を意味する。更には、本出願の文脈では、有線通信リンクとは、原理的に、例えば、少なくとも１つの光導波路、若しくは光伝送路（例えば、光ファイバ）、及び／又は、少なくとも１つの導電体（例えば、ケーブル又はワイヤ、例えば、銅導体若しくは銅ケーブル、又は銅ワイヤ）などの、通信を実行するための１つ以上の非無線技術又は手段を利用する、任意のタイプの通信リンク、接続、又は結合を意味する。あるいは、「有線通信リンク」は、「非無線通信リンク」として説明されることが可能であり、それゆえ、例えば、少なくとも１つの光導波路、若しくは光ファイバなどの光伝送路、及び／又は、少なくとも１つのケーブル敷設若しくはワイヤ敷設を用いてもよい。
【００４０】
少なくとも１つの第１光源及び少なくとも１つの第２光源のそれぞれ若しくはいずれかは、操作又は作動される場合に、光を放出するように構成されてもよい。少なくとも１つの第１光源及び少なくとも１つの第２光源のそれぞれ若しくはいずれかは、少なくとも１つの発光要素を含んでもよい。少なくとも１つの第１光源及び少なくとも１つの第２光源のそれぞれ若しくはいずれか、あるいは、少なくとも１つの発光要素のそれぞれ又はいずれか１つは、例えば、固体光エミッタを含んでもよく、又は固体光エミッタによって構成されてもよい。固体光エミッタの例としては、発光ダイオード（ＬＥＤ）及び有機ＬＥＤ（organic LED；ＯＬＥＤ）が挙げられる。固体光エミッタは、一般に、比較的安価であり、比較的高い光学効率及び比較的長い寿命を有するため、比較的コスト効率が高い光源である。しかしながら、本出願の文脈では、用語「発光要素」又は「光源」とは、例えば両端間に電位差を印加するか又は電流を流すことによって作動されると、任意の領域又は領域の組み合わせの電磁スペクトル、例えば、可視領域、赤外領域、及び／又は紫外領域の放射線を放出することが可能な、実質的に任意のデバイス又は要素を意味するものと理解されたい。それゆえ、発光要素又は光源は、単色、準単色、多色、又は広帯域の、スペクトル放出特性を有し得る。発光要素又は光源の例としては、半導体、有機又はポリマー／高分子ＬＥＤ、紫色ＬＥＤ、青色ＬＥＤ、光励起蛍光体被覆ＬＥＤ、光励起ナノ結晶ＬＥＤ、又は、当業者によって容易に理解されるであろう任意の他の同様のデバイスが挙げられる。更には、発光要素又は光源という用語は、本発明の１つ以上の実施形態によれば、特定の発光要素が内部に位置決め又は配置されるハウジング若しくはパッケージと組み合わされている、放射線を放出する特定の発光要素の組み合わせを意味し得る。例えば、発光要素又は光源という用語は、ＬＥＤパッケージと称され得る、ハウジング内に配置されているベアＬＥＤダイを包含し得る。別の実施例によれば、発光要素又は光源は、ＰＣＢなどの基板に、サブマウントを介さずに直接取り付けられているＬＥＤダイを有し得る、チップスケールパッケージ（Chip Scale Package；ＣＳＰ）ＬＥＤを含み得る。
【００４１】
少なくとも１つの第１光源及び少なくとも１つの第２光源のそれぞれ若しくはいずれかは、電気的機能及び電子的機能を含んでもよく、それらの例は、保護回路、色調整回路、調光回路、カットオフ回路、監視及び温度制限回路、有線通信回路、無線通信回路である。
【００４２】
照明システムは、２つ以上の制御ユニットを備えてもよい。照明システムが、２つ以上の制御ユニットを備える場合には、制御ユニットのうちの少なくとも一部は、互いに通信可能に接続されてもよい。制御ユニットは、制御ユニット間でのデータ、信号、メッセージなどの伝送を可能にするように、直接又は間接的に（例えば、１つ以上の中間要素又は中間構成要素を介して）、互いに通信可能に接続されてもよい。
【００４３】
照明システムは、例えば、第１制御ユニット及び第２制御ユニットを備えてもよい。第１制御ユニットは、少なくとも１つの第１光源と通信可能に接続されてもよく、第２制御ユニットは、少なくとも１つの第２光源と通信可能に接続されてもよい。第１制御ユニットは、少なくとも１つの第１光源のそれぞれを、少なくとも当該光源からの放出光の光束に関して制御するように構成されてもよく、第２制御ユニットは、少なくとも１つの第２光源のそれぞれを、少なくとも当該光源からの放出光の光束に関して制御するように構成されてもよい。第１制御ユニット及び第２制御ユニットは、互いに通信可能に接続されてもよい。
【００４４】
照明システムは、少なくとも１つの第１光源及び少なくとも１つの第２光源のうちの少なくとも１つによって放出される光の、少なくとも１つの光特性を感知するように構成されている、少なくとも１つのセンサを備えてもよい。少なくとも１つの光特性は、例えば、光束及び／又は色温度を含み得る。少なくとも１つのセンサは、少なくとも１つの制御ユニットと通信可能に接続されてもよい。少なくとも１つの制御ユニットは、少なくとも１つの第１光源及び少なくとも１つの第２光源のうちの対応の１つ若しくはいくつかによって放出される光の、感知された光特性に基づいて、少なくとも１つの第１光源及び少なくとも１つの第２光源のうちの少なくとも１つ若しくはそれぞれを、当該光源からの放出光の光束に関して制御するように構成されてもよい。例えば、照明システムは、少なくとも１つの第２光源のうちの少なくとも１つによって放出される光の、少なくとも１つの光特性を感知するように構成されている、少なくとも１つのセンサを備えてもよく、少なくとも１つの制御ユニット（例えば、前述の第２制御ユニット）は、少なくとも１つの第２光源のうちの対応の１つ若しくはいくつかによって放出される光の、感知された光特性に基づいて、少なくとも１つの第２光源のうちの少なくとも１つ若しくはそれぞれを制御するように構成されてもよい。
【００４５】
前述の説明を参照して、以下では、第１の状態及び第２の状態にある場合の少なくとも１つの第１光源によって放出される光の色温度と、第１の状態及び第２の状態にある場合の少なくとも１つの第２光源によって放出される光の色温度との、いくつかの実施例が提供される。第１の状態及び第２の状態にある少なくとも１つの第１光源が、それぞれ、ＬＳ１＿Ｓ１及びＬＳ１＿Ｓ２で示され、第１の状態及び第２の状態にある少なくとも１つの第２光源が、それぞれ、ＬＳ２＿Ｓ１及びＬＳ２＿Ｓ２で示される場合には、以下の非限定的な、色温度の実施例１〜６が想到されてもよい：
実施例１：
ＬＳ１＿Ｓ１：３０００Ｋ；ＬＳ１＿Ｓ２：２３００Ｋ；ＬＳ２＿Ｓ１：３０００Ｋ；ＬＳ２＿Ｓ２：４１５０Ｋ
実施例２：
ＬＳ１＿Ｓ１：３５００Ｋ；ＬＳ１＿Ｓ２：２２００Ｋ；ＬＳ２＿Ｓ１：３５００Ｋ；ＬＳ２＿Ｓ２：４１００Ｋ
実施例３：
ＬＳ１＿Ｓ１：３２００Ｋ；ＬＳ１＿Ｓ２：２１００Ｋ；ＬＳ２＿Ｓ１：３５００Ｋ；ＬＳ２＿Ｓ２：４１５０Ｋ
実施例４：
ＬＳ１＿Ｓ１：２７００Ｋ；ＬＳ１＿Ｓ２：２３００Ｋ；ＬＳ２＿Ｓ１：３０００Ｋ；ＬＳ２＿Ｓ２：４２００Ｋ
実施例５：
ＬＳ１＿Ｓ１：３１００Ｋ；ＬＳ１＿Ｓ２：２１００Ｋ；ＬＳ２＿Ｓ１：３１００Ｋ；ＬＳ２＿Ｓ２：４１００Ｋ
実施例６：
ＬＳ１＿Ｓ１：３０００Ｋ；ＬＳ１＿Ｓ２：２０００Ｋ；ＬＳ２＿Ｓ１：３１５０Ｋ；ＬＳ２＿Ｓ２：４１５０Ｋ
【００４６】
本発明の第２の態様によれば、照明システムにおける方法が提供される。照明システムは、少なくとも１つの第１光源及び少なくとも１つの第２光源を備える。少なくとも１つの第１光源及び少なくとも１つの第２光源のそれぞれは、少なくとも制御可能な光束を有する光を放出するように、制御可能である。少なくとも１つの第１光源及び少なくとも１つの第２光源のそれぞれは、当該光源から放出される光の色温度が変化し得るように構成されている。本方法は、少なくとも１つの第１光源及び少なくとも１つの第２光源のそれぞれに関して、第２の状態にある場合の光源によって放出される光の光束が、第１の状態にある場合の光源によって放出される光の光束よりも低くなるように、放出光の少なくとも光束を、少なくとも１つの第１光源及び少なくとも１つの第２光源の、それぞれ少なくとも第１の状態（又は、第１の設定、若しくは「高」設定）と第２の状態（又は、第２の設定、若しくは「低」設定）との間で変化させることによって、少なくとも１つの第１光源及び少なくとも１つの第２光源を制御するステップを含む。第２の状態にある場合の少なくとも１つの第１光源のそれぞれによって放出される光は、第１の状態にある場合の第１光源によって放出される光よりも低い色温度を有し、第２の状態にある場合の少なくとも１つの第２光源のそれぞれによって放出される光は、第１の状態にある場合の第２光源によって放出される光よりも高い色温度を有する。
【００４７】
本発明の第３の態様によれば、コンピュータプログラム製品が提供される。コンピュータプログラム製品は、本発明の第１の態様による照明システム内に含まれている制御ユニットにおいて実行されると、本発明の第２の態様による方法を実行するように構成されている。
【００４８】
本発明の第３の態様によれば、コンピュータプログラム製品が記憶されているコンピュータ可読記憶媒体が提供される。コンピュータプログラム製品は、本発明の第１の態様による照明システム内に含まれている制御ユニットにおいて実行されると、本発明の第２の態様による方法を実行するように構成されている。
【００４９】
コンピュータ可読記憶媒体としては、例えば、デジタル多用途ディスク（Digital Versatile Disc；ＤＶＤ）、又はフロッピーディスク、あるいは、限定するものではないが、不揮発性メモリ、ハードディスクドライブ、コンパクトディスク（Compact Disc；ＣＤ）、フラッシュメモリ、磁気テープ、ユニバーサルシリアルバス（Universal Serial Bus；ＵＳＢ）メモリデバイス、Ｚｉｐドライブなどの、任意の他の好適なタイプのコンピュータ可読手段又はコンピュータ可読（デジタル）記憶媒体を挙げることができる。
【００５０】
少なくとも１つの制御ユニットは、代替的に、少なくとも１つの制御及び／又は処理ユニット、あるいは、少なくとも１つの制御及び／又は処理ユニット、回路、若しくはモジュールと称されてもよい。制御ユニットは、例えば、任意の好適な中央処理ユニット（central processing unit；ＣＰＵ）、マイクロコントローラ、デジタル信号プロセッサ（digital signal processor；ＤＳＰ）、特定用途向け集積回路（Application Specific Integrated Circuit；ＡＳＩＣ）、フィールドプログラマブルゲートアレイ（Field Programmable Gate Array；ＦＰＧＡ）など、又はこれらの任意の組み合わせを含んでもよく、あるいは、それらによって構成されてもよい。制御ユニットは、オプションとして、例えばメモリの形態のコンピュータプログラム製品内に記憶されている、ソフトウェア命令を実行することが可能であってもよい。メモリは、例えば、読み出し及び書き込みメモリ（ＲＡＭ）と読み出し専用メモリ（read only memory；ＲＯＭ）との任意の組み合わせであってもよい。メモリは、例えば、磁気メモリ、光学メモリ、ソリッドステートメモリ、又はリモートで実装されているメモリ、あるいは、これらの任意の組み合わせとすることが可能な、永続記憶装置を含み得る。
【００５１】
本発明の更なる目的及び利点が、例示的実施形態によって以下で説明される。本発明は、請求項に列挙される特徴の全ての可能な組み合わせに関するものである点に留意されたい。添付の請求項及び本明細書の説明を検討することにより、本発明の更なる特徴及び利点が明らかとなるであろう。当業者は、本明細書で説明される実施形態以外の実施形態を作り出すために、本発明の種々の特徴が組み合わせられることができる点を理解する。
【図面の簡単な説明】
【００５２】
本発明の例示的実施形態が、添付図面を参照して以下で説明される。
【図１】本発明の一実施形態による照明システムを示す、概略ブロック図である。
【図２】本発明の実施形態による、第１光源及び第２光源によって放出される光の、光束の関数としての色温度を示す、概略的グラフである。
【図３】本発明の実施形態による、第１光源及び第２光源によって放出される光の、光束の関数としての色温度を示す、概略的グラフである。
【図４】本発明の実施形態による、第１光源及び第２光源によって放出される光の、時間の関数としての光束を示す、概略的グラフである。
【図５】本発明の実施形態による、第１光源及び第２光源によって放出される光の、時間の関数としての光束を示す、概略的グラフである。
【図６】本発明の実施形態による、光源の概略図である。
【図７】本発明の実施形態による、光源の概略図である。
【図８】本発明の一実施形態による、照明システムにおける方法の概略フロー図である。
【００５３】
全ての図は、概略的であり、必ずしも正確な縮尺ではなく、全般的に、本発明の実施形態を明確化するために必要な部分のみを示しており、他の部分は、省略されるか又は単に示唆される場合がある。
【発明を実施するための形態】
【００５４】
以下に、本発明の例示的実施形態が示されている添付図面を参照して、本発明が以降で説明される。しかしながら、本発明は、多くの異なる形態で具現化されてもよく、本明細書に記載の、本発明の実施形態に限定されるものとして解釈されるべきではなく、むしろ、本発明のこれらの実施形態は、本開示が、本発明の範囲を当業者に伝えるように、例として提供されている。図面では、別段の指定のない限り、同一の参照数字は、同じ又は同様の機能を有する、同じ又は同様の構成要素を示す。
【００５５】
図１は、本発明の一実施形態による照明システムを示す、概略ブロック図１である。照明システム１は、少なくとも１つの第１光源Ｌ１及び少なくとも１つの第２光源Ｌ２を備える。図１に示される本発明の実施形態によれば、照明システム１は、２つの第１光源Ｌ１及び１つの第２光源Ｌ２を備える。しかしながら、照明システム１は、原理的に、任意の数の第１光源Ｌ１及び任意の数の第２光源Ｌ２を備えることが可能である点を理解されたい。第１光源Ｌ１及び第２光源Ｌ２のそれぞれは、少なくとも制御可能な光束を有する光を放出するように、制御可能である。第１光源Ｌ１及び第２光源Ｌ２のそれぞれは、当該光源から放出される光の色温度が変化し得るように構成されている。
【００５６】
照明システム１は、制御ユニット（又は、制御及び処理ユニット、若しくは処理ユニット）２を備える。制御ユニット２は、図１において制御ユニット２と第１光源Ｌ１及び第２光源Ｌ２とを結ぶ実線によって示されるように、第１光源Ｌ１及び第２光源Ｌ２のそれぞれと通信可能に接続されている。制御ユニット２と第１光源Ｌ１及び第２光源Ｌ２との間の通信可能な接続が、図１では実線によって示されているが、このことは、必ずしも、制御ユニット２と第１光源Ｌ１及び第２光源Ｌ２との間の通信接続が有線であることを意味するものではない。追加的に、又は代替的に、制御ユニット２と第１光源Ｌ１及び第２光源Ｌ２との間の通信接続は、無線であってもよい。制御ユニット２と第１光源Ｌ１及び第２光源Ｌ２との間のいずれの通信接続も、少なくとも１つの有線通信リンク、無線通信リンク、及び／又はハイブリッド通信リンクを含み得る。
【００５７】
制御ユニット２は、例えば、第１光源Ｌ１及び第２光源Ｌ２によって受信される、少なくとも１つの制御信号、制御信号通信、又は何らかの他のタイプの制御メッセージを、制御ユニット２が送信することによって、第１光源Ｌ１及び第２光源Ｌ２の動作を制御してもよい。
【００５８】
制御ユニット２は、第１光源Ｌ１及び第２光源Ｌ２のそれぞれを、少なくとも当該光源からの放出光の光束に関して制御するように構成されている。制御ユニット２は、第１光源Ｌ１及び第２光源Ｌ２のそれぞれに関して、第２の状態にある場合の光源によって放出される光の光束が、第１の状態にある場合の光源によって放出される光の光束よりも低くなるように、放出光の少なくとも光束を、第１光源Ｌ１及び第２光源Ｌ２の、それぞれ少なくとも第１の状態と第２の状態との間で変化させることによって、第１光源Ｌ１及び第２光源Ｌ２を、それぞれ制御するように構成されている。制御ユニット２は、第１光源Ｌ１及び第２光源Ｌ２を、少なくとも部分的に重複している対応の期間中に、第１光源Ｌ１及び第２光源Ｌ２の、それぞれ第１の状態と第２の状態との間で、それぞれ制御するように構成されている。第２の状態にある場合の第１光源Ｌ１のそれぞれによって放出される光は、第１の状態にある場合の第１光源Ｌ１によって放出される光よりも低い色温度を有し、第２の状態にある場合の第２光源Ｌ２によって放出される光は、第１の状態にある場合の第２光源Ｌ２によって放出される光よりも高い色温度を有する。
【００５９】
「第１の状態」は、代替的に、「第１の設定」又は（例えば、放出光の光束に関する）「高設定」と称されてもよい。「第２の状態」は、代替的に、「第２の設定」又は（例えば、放出光の光束に関する）「低設定」と称されてもよい。例えば、第１光源Ｌ１及び第２光源Ｌ２は、それぞれ、第１の状態若しくは高設定にある場合の第１光源Ｌ１及び第２光源Ｌ２によってそれぞれ放出される光の光束が、第２の状態若しくは低設定にある場合よりも高くなるように、放出光の少なくとも光束を、第１光源Ｌ１及び第２光源Ｌ２の、それぞれ第１の状態と第２の状態との間で変化させることによって、制御されてもよい。それゆえ、第１の状態若しくは高設定にある場合の第１光源Ｌ１及び第２光源Ｌ２によってそれぞれ放出される光の光束は、例えば、第２の状態若しくは低設定にある場合よりも高くてもよい。
【００６０】
図２及び図３は、本発明の実施形態による、第１光源Ｌ１のそれぞれ若しくはいずれか（破線）及び第２光源Ｌ２（実線）によって放出され得る光の、光束の関数としての色温度を示す、概略的グラフである。図２及び図３に示されるように、第２の状態、又は（「低」によって示される）低設定にある場合の、第１光源Ｌ１によって放出される光は、第１の状態、又は（「高」によって示される）高設定にある場合の、第１光源Ｌ１によって放出される光よりも低い色温度を有し、第２の状態、又は低設定（「低」）にある場合の、第２光源Ｌ２によって放出される光は、第１の状態、又は高設定（「高」）にある場合の、第２光源Ｌ２によって放出される光よりも高い色温度を有する。図２及び図３に更に示されるように、第１の状態、又は高設定にある場合の、第１光源Ｌ１及び第２光源Ｌ２によってそれぞれ放出される光の色温度は、異なっていてもよく（図２を参照）、又は、同じであるか若しくは実質的に同じであってもよい（図３を参照）。
【００６１】
例えば、照明システム１は、例えば寝室などの、部屋（図１には示さず）内に実装又は配置されてもよく、第１光源Ｌ１及び第２光源Ｌ２の第１の状態は、覚醒時間中に用いられてもよく、第１光源Ｌ１及び第２光源Ｌ２の第２の状態は、通常は夜間の、睡眠時間中に用いられてもよい。例えば、照明システム１が、例えば寝室などの、部屋内に実装又は配置されている場合には、第２光源Ｌ２は、部屋の天井に配置されてもよく、第１光源Ｌ１は、部屋の床上に、又はテーブル若しくはナイトテーブル上などに配置されてもよい。
【００６２】
図４及び図５は、本発明の実施形態による、第１光源Ｌ１のそれぞれ若しくはいずれか（破線）及び第２光源Ｌ２（実線）によって放出され得る光の、時間（時間ｔ１〜時間ｔ２）の関数としての光束を示す、概略的グラフである。
【００６３】
図４に示されるように、制御ユニット２は、第１の状態、又は高設定（「高」）にある場合の、第１光源Ｌ１及び第２光源Ｌ２によってそれぞれ放出される光の光束が、実質的に同じである（例えば、最大で数パーセントのみ異なる）か又は同じであるように、第１光源Ｌ１及び第２光源Ｌ２を、それぞれ制御するように構成されてもよい。
【００６４】
図５に示されるように、制御ユニット２は、第１の状態にある場合の第１光源Ｌ１及び第２光源Ｌ２によってそれぞれ放出される光の光束が、第２の状態にある場合よりも高く、第２の状態、又は低設定（「低」）にある場合の、第１光源Ｌ１によって放出される光の光束が、ゼロ又は実質的にゼロであり、第２の状態にある場合の第２光源Ｌ２によって放出される光の光束が、非ゼロであるように、放出光の少なくとも光束を、第１光源Ｌ１及び第２光源Ｌ２の、それぞれ第１の状態と第２の状態との間で変化させることによって、第１光源Ｌ１及び第２光源Ｌ２を、それぞれ制御するように構成されてもよい。
【００６５】
図４及び図５の時間ｔ１（例えば、第１光源Ｌ１及び第２光源Ｌ２が、それぞれ第１の状態にある時間）以前には、第１光源Ｌ１及び第２光源Ｌ２によってそれぞれ放出される光の光束は、一定であるか又は実質的に一定であっても（例えば、数パーセント変動していても）よい。
【００６６】
図１を更に参照すると、照明システム１は、クロックモジュール又はタイミングモジュール９を備えてもよい。クロックモジュール９は、制御ユニット２と通信可能に接続されてもよい。制御ユニット２とクロックモジュール９との間のいずれの通信接続も、少なくとも１つの有線通信リンク、無線通信リンク、及び／又はハイブリッド通信リンクを含み得る。クロックモジュール９の機能は、場合によっては、制御ユニット２に組み込まれてもよく、それゆえ、制御ユニットは、クロックモジュール９の機能を提供するように構成されてもよい点を理解されたい。それゆえ、照明システム１内には、別個のクロックモジュール９が存在しなくてもよい。クロックモジュール９は、制御ユニット２が、第１光源Ｌ１及び第２光源Ｌ２のそれぞれを、第１光源Ｌ１及び第２光源Ｌ２の、それぞれ第１の状態と第２の状態との間で制御するタイミングを、制御するように構成されてもよい。
【００６７】
クロックモジュール９は、制御ユニット２に、第１光源Ｌ１及び第２光源Ｌ２のそれぞれを、１つ以上の特定の時間において、第１光源Ｌ１及び第２光源Ｌ２の、それぞれ第１の状態と第２の状態との間で制御させるように、構成されてもよい。制御ユニット２は、第１光源Ｌ１及び第２光源Ｌ２のそれぞれを、例えば同時に、第１光源Ｌ１及び第２光源Ｌ２の、それぞれ第１の状態と第２の状態との間で制御してもよい。クロックモジュール９は、制御ユニット２に、第１光源Ｌ１及び第２光源Ｌ２のそれぞれを、１つ以上の時点において、第１光源Ｌ１及び第２光源Ｌ２の、それぞれ第１の状態と第２の状態との間で制御させるように、構成されてもよい。例えば、クロックモジュール９は、制御ユニット２に、第１光源Ｌ１及び第２光源Ｌ２のそれぞれを、場合によっては、１日の間の、又は数日ごとの特定の時点において、例えば２３：００時（又は、夜間の別の時間）に、第１光源Ｌ１及び第２光源Ｌ２の、それぞれ第１の状態から第２の状態へと制御させるように、構成されてもよい。前述の説明のように、第１光源Ｌ１及び第２光源Ｌ２の第１の状態は、例えば、覚醒時間状態と称され得る、覚醒時間中に用いられてもよく、第１光源Ｌ１及び第２光源Ｌ２の第２の状態は、例えば、通常は夜間の、睡眠時間中に用いられてもよい。
【００６８】
クロックモジュール９の代わりに、又はクロックモジュール９に加えて、制御ユニット２は、少なくとも１つの有線通信リンク、無線通信リンク、及び／又はハイブリッド通信リンクを介して制御ユニット２と通信可能に接続され得る、ユーザ制御要素（図１には示さず）によって、第１光源Ｌ１及び第２光源Ｌ２のそれぞれを、１つ以上の特定の時間において、第１光源Ｌ１及び第２光源Ｌ２の、それぞれ第１の状態と第２の状態との間で制御するようにされてもよい。ユーザ制御要素の機能は、場合によっては、制御ユニット２に組み込まれてもよく、それゆえ、制御ユニットは、ユーザ制御要素の機能を提供するように構成されてもよく、その場合、別個のユーザ制御要素が設けられなくてもよい。ユーザ制御要素は、ユーザが、制御ユニット２に、ユーザ入力に応答して、第１光源Ｌ１及び第２光源Ｌ２のそれぞれを、１つ以上の特定の時間において、第１光源Ｌ１及び第２光源Ｌ２の、それぞれ第１の状態と第２の状態との間で制御させることを可能にするように、構成されてもよい。ユーザ入力は、例えば、ユーザ制御要素内に含まれるか若しくはユーザ制御要素を構成し得る、制御ノブ、制御スライダ、プッシュボタン、及び／又は別のタイプのユーザインタフェースによって、ユーザによって提供されてもよい。制御ノブ、制御スライダ、又はプッシュボタンなどのユーザインタフェースは、場合によっては、例えばタッチ感知スクリーン上に実装される、仮想的なものであってもよい。場合によっては、クロックモジュール９は、ユーザがユーザ入力を提供することによって却下されてもよい。
【００６９】
図６は、ランプ３の形態の、本発明の例示的実施形態による光源３の概略図である。図示の光源３は、前述のような第１光源Ｌ１又は第２光源Ｌ２を含んでもよく、あるいは、そのような光源を構成してもよい。図示の実施形態によれば、光源３は、従来の白熱電球の外観を有するように、及び従来のソケット（例えば、エジソンねじ込み口金）内に取り付けられるように設計されており、例えば１つ以上のＬＥＤで発光フィラメントワイヤが置き換えられている、いわゆる「レトロフィットランプ」を含む。
【００７０】
図７は、照明器具４の形態の、本発明の例示的実施形態による光源４の概略図である。図示の光源４は、前述のような第１光源Ｌ１又は第２光源Ｌ２を含んでもよく、あるいは、そのような光源を構成してもよい。照明器具４によって放出される光は、図７の矢印によって示されている。図７に示されるように、照明器具４は、例えばワイヤ５、６などの吊り下げ手段によって、例えば天井（図７には示さず）から吊り下げられるように構成されている。
【００７１】
図８は、本発明の一実施形態による、照明システムにおける方法７の概略フロー図である。照明システムは、少なくとも１つの第１光源及び少なくとも１つの第２光源を備える。少なくとも１つの第１光源及び少なくとも１つの第２光源のそれぞれは、少なくとも制御可能な光束を有する光を放出するように、制御可能である。少なくとも１つの第１光源及び少なくとも１つの第２光源のそれぞれは、当該光源から放出される光の色温度が変化し得るように構成されている。
【００７２】
方法７は、８において、少なくとも１つの第１光源及び少なくとも１つの第２光源のそれぞれに関して、第２の状態にある場合の光源によって放出される光の光束が、第１の状態にある場合の光源によって放出される光の光束よりも低くなるように、放出光の少なくとも光束を、少なくとも１つの第１光源及び少なくとも１つの第２光源の、それぞれ少なくとも第１の状態（又は、第１の設定、若しくは「高」設定）と第２の状態（又は、第２の設定、若しくは「低」設定）との間で変化させることによって、少なくとも１つの第１光源及び少なくとも１つの第２光源を制御するステップを含む。少なくとも１つの第１光源及び少なくとも１つの第２光源の、それぞれ第１の状態と第２の状態との間で、少なくとも１つの第１光源及び少なくとも１つの第２光源を、それぞれ制御するステップは、少なくとも部分的に重複している対応の期間中である。第２の状態にある場合の少なくとも１つの第１光源のそれぞれによって放出される光は、第１の状態にある場合の第１光源によって放出される光よりも低い色温度を有し、第２の状態にある場合の少なくとも１つの第２光源のそれぞれによって放出される光は、第１の状態にある場合の第２光源によって放出される光よりも高い色温度を有する。次いで、方法７は終了してもよい。
【００７３】
結論として、少なくとも１つの第１光源、少なくとも１つの第２光源、及び少なくとも１つの制御ユニットを備える、照明システムが開示される。少なくとも１つの制御ユニットは、少なくとも１つの第１光源及び少なくとも１つの第２光源のそれぞれに関して、第２の状態にある場合の光源によって放出される光の光束が、第１の状態にある場合の光源によって放出される光の光束よりも低くなるように、放出光の少なくとも光束を、少なくとも１つの第１光源及び少なくとも１つの第２光源の、それぞれ少なくとも第１の状態と第２の状態との間で変化させることによって、少なくとも１つの第１光源及び少なくとも１つの第２光源を、それぞれ制御するように構成されている。第２の状態にある場合の少なくとも１つの第１光源のそれぞれによって放出される光は、第１の状態にある場合の第１光源によって放出される光よりも低い色温度を有し、第２の状態にある場合の少なくとも１つの第２光源のそれぞれによって放出される光は、第１の状態にある場合の第２光源によって放出される光よりも高い色温度を有する。
【００７４】
本発明は、添付図面及び上記の説明において例示されているが、そのような例示は、説明的又は例示的なものであり、制限するものではないと見なされたく、本発明は、開示される実施形態に限定されるものではない。図面、本開示、及び添付の請求項の検討によって、開示される実施形態に対する他の変形形態が、当業者により理解されることができ、また、特許請求される発明を実施する際に実行されることができる。添付の請求項では、単語「備える（comprising）」は、他の要素又はステップを排除するものではなく、不定冠詞「１つの（a）」又は「１つの（an）」は、複数を排除するものではない。特定の手段が、互いに異なる従属請求項内に列挙されているという単なる事実は、これらの手段の組み合わせが、有利に使用され得ないことを示すものではない。請求項中のいかなる参照符号も、範囲を限定するものとして解釈されるべきではない。
【図１】
2021531636.tif 000003
【図２】
2021531636.tif 000004
【図３】
2021531636.tif 000005
【図４】
2021531636.tif 000006
【図５】
2021531636.tif 000007
【図６】
2021531636.tif 000008
【図７】
2021531636.tif 000009
【図８】
2021531636.tif 000010
【国際調査報告】
2021531636.tif 000011
2021531636.tif 000012